(57)【要約】      （修正有）【課題】地球上の陸地の、約２５％程度の面積が、不毛の大地の砂漠である。この不毛の大地の砂漠を緑化して、植物である穀物、果樹、野菜、及び樹木などを耕作することが出来る農耕地とすることにより、将来、地球上に於いて人口が増大をして食料不足となる事態を回避する方法を提供する。【解決手段】砂漠を緑化して穀物、果樹、野菜、及び樹木などの植物を栽培する目的にて、土壌の内部に、散水管２を経由して砂漠の砂に水溶液を含水させる。さらに、砂漠の地表と散水管２との中間に存在をしている、砂漠の砂が含水をしている水分は、植物である穀物、果樹、野菜、及び樹木などの植物を栽培、生育、及び生長をさせるのに充分な水分を植物に供給をする。【選択図】図１
2014090698.tif 000002
【特許請求の範囲】
【請求項１】
日中温度が摂氏５０度以上に上昇をする砂漠に於いて栽培をしている穀物、果樹、野菜、及び樹木などの植物に、地中に水を遠い所に送る管である、塩化ビニール樹脂などで出来ている桶（１）、又は１箇所を縦方向に切断をしたパイプ（１）（以下、略して、桶、又は桶形状物体とする）を、地下３０ｃｍ前後の地下のところに埋設をして、さらに、桶形状物体（１）の内部に、砂漠の砂（４）が流入をするのを防止する防止弁（３）を、先端に取り付けている散水管（２）を桶形状物体（１）の内部に設置をして、桶形状物体（１）の内部に散水管（２）を経由して水を散水して、桶形状物体（１）の内部に入っている砂（４）に給水をする構造とした、畑の地下に桶形状物体（１）を埋設した構造とすることにより、砂漠の表面上から散水をするのとは異なり、桶形状物体（１）の内部に入っている砂（４）は、常時水分を含水している状態とすることが出来るので、砂漠でも、極く少ない水量を使用して植物である、穀物、果樹、野菜、及び樹木を生育させることが出来ることを特徴とする砂漠を緑化する方法、及びポリ乳酸製発泡農業用箱。
【請求項２】
砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部に散水管（２）を設置している構造の耕作地にて穀物、果樹、野菜、及び樹木などの植物を耕作することにより、極く安いコストにて、ダンボール箱（１）の内部に散水管（２）を経由して散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来ることを特徴とする砂漠を緑化する方法、及びポリ乳酸製発泡農業用箱。
【請求項３】
砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内側の側面上にビニールフィルム（５）を被せて、ダンボール箱（１）の内部に散水をした水溶液が溜まる構造とした、ダンボール箱（１）の内部にて穀物、果樹、野菜、及び樹木などの植物を耕作することにより、極く安いコストにて、ダンボール箱（１）の内部に散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来ることを特徴とする砂漠を緑化する方法、及びポリ乳酸製発泡農業用箱。
【請求項４】
砂漠の地下３０ｃｍ前後の地下のところから地上にかけて、水溶液が漏れないような構造としたダンボール箱（１）、又は米国のカーギル社が開発をした、原材料が殻物由来のトウモロコシから出来ている、生分解性プラスチックを原材料として出来ているポリ乳酸製発泡農業用箱（１）、又はその他の原材料で出来ている、水溶液が漏れない構造とした容器（１）（以下、略して、ダンボール箱（１）、又はポリ乳酸製発泡農業用箱（１）とする）を、例えば、耕作地とする３０ｃｍ前後の地下のところから地上にかけて、ポリ乳酸製発泡農業用箱（１）を埋設して、埋設をしたポリ乳酸製発泡農業用箱（１）の内部に散水をした水溶液が溜まる構造とした、ポリ乳酸製発泡農業用箱（１）の内部にて穀物、果樹、野菜、及び樹木などの植物を耕作することにより、散水をした水溶液がポリ乳酸製発泡農業用箱（１）の内部に溜まることが出来る構造とした耕作地を、不毛の大地の砂漠に形成をして植物を耕作することにより、不毛の大地にて穀物、果樹、野菜、及び樹木などの植物を栽培することが出来ることを特徴とする砂漠を緑化する方法、及びポリ乳酸製発泡農業用箱。
【請求項５】
米国のカーギル社が開発をした、原材料が殻物由来のトウモロコシから出来ている、生分解性プラスチックを原材料として出来ているポリ乳酸製発泡農業用箱（１）を耕作地に埋設をして、埋設をしたポリ乳酸製発泡農業用箱（１）の内部に散水をした水溶液が溜まる構造とした耕作地である、ポリ乳酸製発泡農業用箱（１）の内部にて穀物、果樹、野菜、及び樹木などの植物を耕作する、最大の利点は、植物などの耕作が終了をした耕作地を、トラクターを使用して土壌とポリ乳酸製発泡農業用箱（１）とを一緒に粉砕をして、トラクターを使用して土壌を掘り返して土を軟らかくして、土壌を耕すことが出来ることが、生分解性プラスチックを原料として出来ている箱（１）、及び生分解性プラスチックを原材料として出来ているフィルム（５）を、水溶液を地中に溜める目的にて使用して穀物、果樹、野菜、及び樹木などの植物を栽培することが出来ることが、最大の利点であることを特徴とする砂漠を緑化する方法、及びポリ乳酸製発泡農業用箱。
【請求項６】
図１０、及び図１１に示しているのは、生分解性プラスチックを原材料として出来ている、例えば、仮称がポリ乳酸製発泡農業用箱（１）を使用して、ポリ乳酸製発泡農業用箱（１）の底面の部分に水溶液を溜めて穀物、果樹、野菜、及び樹木などの植物を栽培すると、植物の根が腐敗をする。この植物の根が腐敗をするのを防止する目的にて、図１０、及び図１１に示している、ポリ乳酸製発泡農業用箱（１）の側面上に穴（６）を形成して、この穴（６）を経由して、植物の根はポリ乳酸製発泡農業用箱（１）の外周を取り巻いている土壌の内部に進入をすることが出来るので、ポリ乳酸製発泡農業用箱（１）の側面上に穴（６）を形成することにより、植物の根の腐敗を防止することが出来ることを特徴とする砂漠を緑化する方法、及びポリ乳酸製発泡農業用箱。
【請求項７】
生分解性プラスチックの原材料は、土の中に存在をしている微生物が分解をすることが出来る、ポリ乳酸が原材料で出来ているので、上記にて説明をした、ポリ乳酸製発泡農業用箱（１）は土の中で微生物が分解をして、水と二酸化炭素を微生物は吐き出す。また、空気がないところで働く微生物の場合には、二酸化炭素とメタンガスなどを微生物は吐き出すので、ポリ乳酸製発泡農業用箱（１）を使用して穀物、果樹、野菜、及び樹木などの植物を耕作したあとの、地中に残っているポリ乳酸製発泡農業用箱（１）の処分方法としては、トラクターを使用して耕作地である土壌と一緒に粉砕をして、トラクターを使用して土壌を掘り返して土壌を軟らかくすることが出来ることを特徴とする砂漠を緑化する方法、及びポリ乳酸製発泡農業用箱。
【請求項８】
砂漠を緑化する目的のために、上記にて説明をした、原材料は異なるけれども、発泡スチロールの原材料はポリスチレンで出来ている、発泡スチロールと全く同様の、ポリ乳酸が原材料で出来ている、発泡スチロール製の容器の製造方法と全く同様の製造方法にて製造をした、ポリ乳酸製発泡農業用箱（１）を耕作地に、例えば、深さが３０ｃｍで、横巾が５０ｃｍの溝を耕作地である畑に、畝を形成する直下に、深さが３０ｃｍで、横巾が５０ｃｍの溝を形成して、畝の真下の部分に当たるところに形成をしている溝の内部に、例えば、高さが３０ｃｍで、横巾が５０ｃｍで、長さが１ｍで、肉厚が２ｃｍの、ポリ乳酸性発泡農業用箱（１）を、畝の真下に当たるところの部分に、ポリ乳酸製発泡農業用箱（１）を畝の真下部分に畝に対して平行に埋設をして、埋設をしたポリ乳酸製発泡農業用箱（１）の内部に散水をした水溶液を溜めることが出来る構成とする。これにより溜池の効果と同様の効果となる。この溜池の効果と同様の効果を目的とする、ポリ乳酸製発泡農業用箱（１）の内部に溜めている水溶液を使用して穀物、果樹、野菜、及び樹木などの植物を栽培することになるので、極く簡単な構造であり、極く安価であり、作業性がよくて、環境に優しくて、環境に負荷をかけない、ポリ乳酸製発泡農業用箱（１）を使用することにより、ポリ乳酸製発泡農業用箱（１）を使用して、極く簡便に砂漠を緑化することが出来ることを特徴とする砂漠を緑化する方法、及びポリ乳酸製発泡農業用箱。
【請求項９】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水をして、桶形状物体（１）の内部に堆積をしている砂漠の砂（４）が含水をしている水分は毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１０】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、散水管（２）を経由して砂漠の砂（４）に水溶液を含水させる。さらに、砂が流入をするのを防止する防止弁（３）を経由して砂漠の砂（４）に水溶液を含水させることにより、砂漠の地表と散水管（２）との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１１】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１２】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１３】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水をして、ポリ乳酸製発泡農業用箱（１）の内部に堆積をしている砂漠の砂（４）が含水をしている水分は毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１４】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１５】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを特徴とする砂漠を緑化する方法、及びその装置。
【請求項１６】
例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図１９に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏２５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることを特徴とする砂漠を緑化する方法、及びその装置。
【請求項１７】
例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図２０に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏２５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることを特徴とする砂漠を緑化する方法、及びその装置。
【発明の詳細な説明】
【技術分野】
【０００１】
本発明は、砂漠を緑化するのに、散水を行なう水分の蒸発を、極く少量にして、砂漠にて果樹、野菜、及び樹木を育成させることを目的とする。
【背景技術】
【０００２】
砂漠に於いては、日中温度が摂氏５０度以上に上昇をするので、砂漠にて栽培をしている果樹、野菜、及び樹木（以下、略して、果樹、又は植物とする）に、植物が必要としている水を砂漠の表面上から散水しても、瞬時に水分は蒸発をするので砂漠に於いては果樹、野菜、及び樹木などの植物を栽培することが出来ないとされている。
【発明の概要】
【発明が解決しようとする課題】
【０００３】
日中温度が摂氏５０度以上に上昇をする砂漠に於いて栽培をしている穀物、果樹、野菜、及び樹木などの植物に、地中に水を遠い所に送る管である、塩化ビニール樹脂などで出来ている桶（１）、又は１箇所を縦方向に切断をしたパイプ（１）（以下、略して、桶、又は桶形状物体とする）を、地下２５ｃｍ前後の地下のところに埋設をして、さらに、桶形状物体（１）の内部に、砂漠の砂（４）が流入をするのを防止する防止弁（３）を、先端に取り付けている散水管（２）を桶形状物体（１）の内部に設置をして、桶形状物体（１）の内部に散水管（２）を経由して水を散水して、桶形状物体（１）の内部に入っている砂（４）に給水をする構造とした、畑の地下に桶形状物体（１）を埋設した構造とすることにより、砂漠の表面上から散水をするのとは異なり、桶形状物体（１）の内部に入っている砂（４）は、常時水分を含水している状態とすることが出来るので、砂漠でも、極く少ない水量を使用して植物である、穀物、果樹、野菜、及び樹木を生育させることが出来ることになる。
【０００４】
また、地球上の陸地の、約２５％程度の面積が、不毛の大地の砂漠である。この不毛の大地の砂漠を緑化して、植物である穀物、果樹、野菜、及び樹木などを耕作することが出来る農耕地とすることにより、将来、地球上に於いて人口が増大をして食料不足となる事態を解消することを目的とする。
【発明の効果】
【０００５】
砂漠に於いて農作物を耕作する場合、散水をした水分を逃がさない構造の耕作地である畑の構造とすることが出来るならば、砂漠は容易に整地作業が出来て、大規模農地を造成することが出来る効果がある。
【０００６】
また、砂漠の地下２５ｃｍ前後の地下のところに、塩化ビニール樹脂などで出来ている桶形状物体（１）を埋設させて、桶形状物体（１）の内部に散水管（２）を経由して水を散水して、桶形状物体（１）の内部に入っている砂（４）に給水をする構造とすることにより、砂漠の表面上から散水をすると、瞬時に水分は蒸発をする。けれども、砂漠の地下２５ｃｍ前後の地下のところに設置をしている桶形状物体（１）の内部に散水管（２）を経由して散水を行なうのであるならば、散水をした水分は蒸発をして水分が逃げることがなくて、保水性があり、常時、砂漠の地下は水分を含有している状態となるので、植物である果樹、野菜、及び樹木などが砂漠でも生育をして生長をすることが出来る環境となる効果がある。
【０００７】
さらに、散水管（２）を使用して穀物、果樹、野菜、及び樹木などの植物が必要とする肥料、及び農薬を、水溶液の内部に溶解をさせた水溶液を、栽培をしている植物の根元まで、直接に肥料、及び農薬を散水管（２）を使用して散布をすることが出来るので、効率よく肥料、及び農薬を水溶液と一緒に散布をすることが出来る効果がある。
【０００８】
また、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部に散水管（２）を設置している構造の耕作地にて穀物、果樹、野菜、及び樹木などの植物を耕作することにより、極く安いコストにて、ダンボール箱（１）の内部に散水管（２）を経由して散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来る効果がある。
【０００９】
さらに、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部にて穀物、果樹、野菜、及び樹木などの植物を耕作することにより、極く安いコストにて、ダンボール箱（１）の内部に散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来る効果がある。
【００１０】
また、砂漠の地下３０ｃｍ前後の地下のところから地上にかけて、水溶液が漏れないような構造としたダンボール箱（１）、又は米国のカーギル社が開発をした、原材料が殻物由来のトウモロコシから出来ている、生分解性プラスチックを原材料として出来ているポリ乳酸製発泡農業用箱（１）、又はその他の原材料で出来ている、水溶液が漏れない構造とした容器（１）（以下、略して、ダンボール箱（１）、又はポリ乳酸製発泡農業用箱（１）とする）を、例えば、耕作地とする３０ｃｍ前後の地下のところから地上にかけて、ポリ乳酸製発泡農業用箱（１）を埋設して、埋設をしたポリ乳酸製発泡農業用箱（１）の内部に散水をした水溶液が溜まる構造とした、ポリ乳酸製発泡農業用箱（１）の内部にて穀物、果樹、野菜、及び樹木などの植物を耕作することにより、散水をした水溶液がポリ乳酸製農業用箱（１）の内部に溜まることが出来る構造とした耕作地を、不毛の大地の砂漠に形成をして植物を耕作することにより、不毛の大地にて穀物、果樹、野菜、及び樹木などの植物を栽培することが出来る効果がある。
【００１１】
さらに、米国のカーギル社が開発をした、原材料が殻物由来のトウモロコシから出来ている、生分解性プラスチックを原材料として出来ているポリ乳酸製発泡農業用箱（１）を耕作地に埋設をして、埋設をしたポリ乳酸製発泡農業用箱（１）の内部に散水をした水溶液が溜まる構造とした耕作地である、ポリ乳酸製発泡農業用箱（１）の内部にて穀物、果樹、野菜、及び樹木などの植物を耕作する、最大の利点は、植物などの耕作が終了をした耕作地を、トラクターを使用して土壌とポリ乳酸製発泡農業用箱（１）とを一緒に粉砕をして、トラクターを使用して土壌を掘り返して土を軟らかくして、土壌を耕すことが出来ることが、生分解性プラスチックを原料として出来ているポリ乳酸製発泡農業用箱（１）、及び生分解性プラスチックを原材料として出来ているフィルム（５）を、水溶液を地中に溜める目的にて使用して穀物、果樹、野菜、及び樹木などの植物を栽培することが出来る効果がある。
【００１２】
また、図１０、及び図１１に示しているのは、生分解性プラスチックを原材料として出来ている、例えば、仮称がポリ乳酸製発泡農業用箱（１）を使用して、ポリ乳酸製発泡農業用箱（１）の底面の部分に水溶液を溜めて穀物、果樹、野菜、及び樹木などの植物を栽培すると、植物の根が腐敗をする。この植物の根が腐敗をするのを防止する目的にて、図１０、及び図１１に示している、ポリ乳酸製発泡農業用箱（１）の側面上に穴（６）を形成して、この穴（６）を経由して、植物の根はポリ乳酸製発泡農業用箱（１）の外周を取り巻いている土壌の内部に進入をすることが出来るので、ポリ乳酸製発泡農業用箱（１）の側面上に穴（６）を形成することにより、植物の根の腐敗を防止することが出来る効果がある。
【００１３】
さらに、生分解性プラスチックの原材料は、土の中に存在をしている微生物が分解をすることが出来る、ポリ乳酸が原材料で出来ているので、上記にて説明をした、ポリ乳酸製発泡農業用箱（１）は土の中で微生物が分解をして、水と二酸化炭素を微生物は吐き出す。また、空気がないところで働く微生物の場合には、二酸化炭素とメタンガスなどを微生物は吐き出すので、ポリ乳酸製発泡農業用箱（１）を使用して穀物、果樹、野菜、及び樹木などの植物を耕作したあとの、地中に残っているポリ乳酸製発泡農業用箱（１）の処分方法としては、トラクターを使用して耕作地である土壌と一緒に粉砕をして、トラクターを使用して土壌を掘り返して土壌を軟らかくすることが出来る効果がある。
【００１４】
また、砂漠を緑化する目的のために、上記にて説明をした、原材料は異なるけれども、発泡スチロールの原材料はポリスチレンで出来ている、発泡スチロールと全く同様の、ポリ乳酸が原材料で出来ている、発泡スチロール製の容器の製造方法と全く同様の製造方法にて製造をした、ポリ乳酸製発泡農業用箱（１）を耕作地に、例えば、深さが３０ｃｍで、横巾が５０ｃｍの溝を耕作地である畑に、畝を形成する直下に、深さが３０ｃｍで、横巾が５０ｃｍの溝を形成して、畝の真下の部分に当たるところに形成をしている溝の内部に、例えば、高さが３０ｃｍで、横巾が５０ｃｍで、長さが１ｍで、肉厚が２ｃｍの、ポリ乳酸性発泡農業用箱（１）を、畝の真下に当たるところの部分に、ポリ乳酸製発泡農業用箱（１）を畝の真下部分に畝に対して平行に埋設をして、埋設をしたポリ乳酸製発泡農業用箱（１）の内部に散水をした水溶液を溜めることが出来る構成とする。これにより溜池の効果と同様の効果となる。この溜池の効果と同様の効果を目的とする、ポリ乳酸製発泡農業用箱（１）の内部に溜めている水溶液を使用して穀物、果樹、野菜、及び樹木などの植物を栽培することになるので、極く簡単な構造であり、極く安価であり、作業性がよくて、環境に優しくて、環境に負荷をかけない、ポリ乳酸製発泡農業用箱（１）を使用することにより、ポリ乳酸製発泡農業用箱（１）を使用して、極く簡便に砂漠を緑化することが出来る効果がある。
【００１５】
さらに、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水をして、桶形状物体（１）の内部に堆積をしている砂漠の砂（４）が含水をしている水分は毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００１６】
また、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、散水管（２）を経由して砂漠の砂（４）に水溶液を含水させる。さらに、砂が流入をするのを防止する防止弁（３）を経由して砂漠の砂（４）に水溶液を含水させることにより、砂漠の地表と散水管（２）との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００１７】
さらに、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００１８】
また、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００１９】
さらに、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水をして、ポリ乳酸製発泡農業用箱（１）の内部に堆積をしている砂漠の砂（４）が含水をしている水分は毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２０】
また、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２１】
さらに、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来る効果がある。
【００２２】
また、例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図１９に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏２５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることになる効果がある。
【００２３】
さらに、例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図２０に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏２５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることになる効果がある。
【図面の簡単な説明】
【００２４】
【図１】図１に示しているのは、砂漠の地下３０ｃｍ前後の地下のところに桶形状物体（１）の内部に散水管（２）を設置している構造の耕作地にて穀物、果樹、野菜、及び樹木などの植物を耕作している縦断面図を、図１に示している。
【図２】図２に示しているのは、砂漠の地下３０ｃｍ前後の地下のところに桶形状物体（１）の内部に散水管（２）を設置している構造の耕作地にて穀物、果樹、野菜、及び樹木などの植物を耕作している縦断面図を、図２に示している。
【図３】図３に示しているのは、砂漠の地下３０ｃｍ前後の地下のところに桶形状物体（１）の内部に散水管（２）を設置している構造の耕作地にて穀物、果樹、野菜、及び樹木などの植物を耕作している縦断面図を、図３に示している。
【図４】図４に示しているのは、砂漠の地下３０ｃｍ前後の地下のところに桶形状物体（１）の内部に散水管（２）を設置している構造の耕作地にて果樹、野菜、及び樹木などの植物を耕作している縦断面図を、図４に示している。
【図５】図５に示しているのは、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内部に散水管（２）を設置している構造の耕作地にて穀物、果樹、野菜、及び樹木などの植物を耕作している縦断面図を、図５に示している。符号の説明、図中５はフィルムである。
【図６】図６に示しているのは、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内部に散水管（２）を設置している構造の耕作地にて穀物、果樹、野菜、及び樹木などの植物を耕作している縦断面図を、図６に示している。符号の説明、図中５は生分解性プラスチックを原材料として出来ているフィルムである。
【図７】図７に示しているのは、砂漠の地下３０ｃｍ前後の地下のところに桶形状物体（１）の内部に散水管（２）を設置している構造の耕作地にて穀物、果樹、野菜、及び樹木などの植物を耕作している横断面図を、図７に示している。
【図８】図８に示しているのは、砂漠の地下３０ｃｍ前後の地下のところに桶形状物体（１）の内部に散水管（２）を設置している構造の耕作地にて果樹、野菜、及び樹木などの植物を耕作している横断面図を、図８に示している。
【図９】図９に示しているのは、砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設している構造の耕作地にて穀物、果樹、野菜、及び樹木などの植物を耕作している縦断面図を、図９に示している。符号の説明、図中５はフィルムである。
【図１０】図１０に示しているのは、図９に示している、ポリ乳酸製発泡農業用箱（１）の、４箇所の側面上に４角形状、又は円形形状、又はその他の形状をした穴（６）を形成した縦断面図を、図１０に示している。
【図１１】図１１に示しているのは、図１０に示している、ポリ乳酸製発泡農業用箱（１）の、ａ、及びb方向からの側面上を示している側面図を、図１１に示している。
【図１２】図１２に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水をして、桶形状物体（１）の内部に堆積をしている砂漠の砂（４）が含水をしている水分は毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。
【図１３】図１３に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、散水管（２）を経由して砂漠の砂（４）に水溶液を含水させる。さらに、砂が流入をするのを防止する防止弁（３）を経由して砂漠の砂（４）に水溶液を含水させることにより、砂漠の地表と散水管（２）との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１３に示しているのは、地中に埋設をしている桶形状物体（１）と、砂漠の砂（４）との中間に存在をしている、砂漠の砂（４）が含水をしている砂（８）を示している縦断面図を、図１３に示している。
【図１４】図１４に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１４に示しているのは、地中に埋設をしている桶形状物体（１）と、砂漠の砂（４）との中間に存在をしている、砂漠の砂（４）が含水をしている砂（８）を示している縦断面図を、図１４に示している。
【図１５】図１５に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１５に示しているのは、地中に埋設をしている桶形状物体（１）と、砂漠の砂（４）との中間に存在をしている、砂漠の砂（４）が含水をしている砂（８）を示している縦断面図を、図１５に示している。
【図１６】図１６に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水をして、ポリ乳酸製発泡農業用箱（１）の内部に堆積をしている砂漠の砂（４）が含水をしている水分は毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１６に示しているのは、地中に埋設をしているポリ乳酸製発泡農業用箱（１）と、砂漠の砂（４）との中間に存在をしている、砂漠の砂（４）が含水をしている砂（８）を示している縦断面図を、図１６に示している。
【図１７】図１７に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１７に示しているのは、地中に埋設をしているポリ乳酸製発泡農業用箱（１）と、砂漠の砂（４）との中間に存在をしている、砂漠の砂（４）が含水をしている砂（８）を示している縦断面図を、図１７に示している。
【図１８】図１８に示しているのは、砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを発明・発見をした。図１８に示しているのは、地中に埋設をしているポリ乳酸製発泡農業用箱（１）と、砂漠の砂（４）との中間に存在をしている、砂漠の砂（４）が含水をしている砂（８）を示している縦断面図を、図１８に示している。
【図１９】図１９に示しているのは、例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図１９に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏２５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることになった縦断面図を、図１９に示している。
【図２０】図２０に示しているのは、例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図２０に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏２５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることになった縦断面図を、図２０に示している。
【発明を実施するための形態】
【実施例１】
【００２５】
日中温度が摂氏５０度以上に上昇をする砂漠に於いて栽培をしている穀物、果樹、野菜、及び樹木などの植物に、地中に水を遠い所に送る管である、塩化ビニール樹脂などで出来ている桶（１）、又は１箇所を縦方向に切断をしたパイプ（１）、又は箱（１）、又はダンボール箱（１）（以下、略して、桶、又は桶形状物体とする）を、地下３０ｃｍ前後の地下のところに埋設をして、さらに、桶形状物体（１）の内部に、砂漠の砂（４）が流入をするのを防止する防止弁（３）を、先端に取り付けている散水管（２）を桶形状物体（１）の内部に設置をして、桶形状物体（１）の内部に散水管（２）を経由して水を散水して、桶形状物体（１）の内部に入っている砂（４）に給水をする構造とした、畑の地下に桶形状物体（１）を埋設した構造とすることにより、砂漠の表面上から散水をするのとは異なり、桶形状物体（１）の内部に入っている砂（４）は、常時水分を含水している状態とすることが出来るので、砂漠でも、極く少ない水量を使用して植物である、穀物、果樹、野菜、及び樹木を生育させることを実施例１とする。
【実施例２】
【００２６】
砂漠の地下３０ｃｍ前後の地下のところから地上にかけて、ダンボール箱（１）、又は箱（１）（以下、略して、ダンボール箱、又は箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部に散水管（２）を設置している構造の耕作地にて穀物、果樹、野菜、及び樹木などの植物を耕作することにより、極く安いコストにて、ダンボール箱（１）の内部に散水管（２）を経由して散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来ることを実施例２とする。
【実施例３】
【００２７】
砂漠の地下３０ｃｍ前後の地下のところから地上にかけて、ダンボール箱（１）、又はポリ乳酸製発泡農業用箱（１）（以下、略して、ダンボール箱、又はポリ乳酸製発泡農業用箱とする）を埋設して、さらに、ダンボール箱（１）の内側の側面上に生分解性プラスチックを原材料として出来ているフィルム（５）を被せて、ダンボール箱（１）の内部に散水をした水溶液が溜まる構造とした、ダンボール箱（１）の内部にて穀物、果樹、野菜、及び樹木などの植物を耕作することにより、極く安いコストにて、ダンボール箱（１）の内部に散水をした水溶液が、ダンボール箱（１）の内部に溜めることが出来る構造とした耕作地を、不毛の大地の砂漠に形成をすることにより、不毛の大地にて穀物、果樹、野菜、及び樹木などの植物を栽培することが出来ることを実施例とする。
【実施例４】
【００２８】
砂漠の地下３０ｃｍ前後の地下のところから地上にかけて、水溶液が漏れないような構造としたダンボール箱（１）、又は米国のカーギル社が開発をした、原材料が殻物由来のトウモロコシから出来ている、生分解性プラスチックを原材料として出来ているポリ乳酸製発泡農業用箱（１）、又はその他の原材料で出来ている、水溶液が漏れない構造とした容器（１）（以下、略して、ダンボール箱（１）、又はポリ乳酸製発泡農業用箱（１）とする）を、例えば、耕作地とする３０ｃｍ前後の地下のところから地上にかけて、ポリ乳酸製発泡農業用箱（１）を埋設して、埋設をした箱（１）の内部に散水をした水溶液が溜まる構造とした、ポリ乳酸製発泡農業用箱（１）の内部にて穀物、果樹、野菜、及び樹木などの植物を耕作することにより、散水をした水溶液がポリ乳酸製発泡農業用箱（１）の内部に溜まることが出来る構造とした耕作地を、不毛の大地の砂漠に形成をして植物を耕作することにより、不毛の大地にて穀物、果樹、野菜、及び樹木などの植物を栽培することが出来ることを実施例４とする。
【実施例５】
【００２９】
米国のカーギル社が開発をした、原材料が殻物由来のトウモロコシから出来ている、生分解性プラスチックを原材料として出来ているポリ乳酸製発泡農業用箱（１）を耕作地に埋設をして、埋設をしたポリ乳酸製発泡農業用箱（１）の内部に散水をした水溶液が溜まる構造とした耕作地である、ポリ乳酸製発泡農業用箱（１）の内部にて穀物、果樹、野菜、及び樹木などの植物を耕作する、最大の利点は、植物などの耕作が終了をした耕作地を、トラクターを使用して土壌と箱（１）とを一緒に粉砕をして、トラクターを使用して土壌を掘り返して土を軟らかくして、土壌を耕すことが出来ることが、生分解性プラスチックを原料として出来ているポリ乳酸製発泡農業用箱（１）、及び生分解性プラスチックを原材料として出来ているフィルム（５）を、水溶液を地中に溜める目的にて使用して穀物、果樹、野菜、及び樹木などの植物を栽培することが出来ることが、最大の利点であることを実施例５とする。
【実施例６】
【００３０】
図１０、及び図１１に示しているのは、生分解性プラスチックを原材料として出来ている、例えば、仮称がポリ乳酸製発泡農業用箱（１）を使用して、ポリ乳酸製発泡農業用箱（１）の底面の部分に水溶液を溜めて穀物、果樹、野菜、及び樹木などの植物を栽培すると、植物の根が腐敗をする。この植物の根が腐敗をするのを防止する目的にて、図１０、及び図１１に示している、ポリ乳酸製発泡農業用箱（１）の側面上に穴（６）を形成して、この穴（６）を経由して、植物の根はポリ乳酸性発泡農業用箱（１）の外周を取り巻いている土壌の内部に進入をすることが出来るので、ポリ乳酸製発泡農業用箱（１）の側面上に穴（６）を形成することにより、植物の根の腐敗を防止することが出来ることを実施例６とする。
【実施例７】
【００３１】
生分解性プラスチックの原材料は、土の中に存在をしている微生物が分解をすることが出来る、ポリ乳酸が原材料で出来ているので、上記にて説明をした、ポリ乳酸製発泡農業用箱（１）は土の中で微生物が分解をして、水と二酸化炭素を微生物は吐き出す。また、空気がないところで働く微生物の場合には、二酸化炭素とメタンガスなどを微生物は吐き出すので、ポリ乳酸性発泡農業用箱（１）を使用して穀物、果樹、野菜、及び樹木などの植物を耕作したあとの、地中に残っているポリ乳酸製発泡農業用箱（１）の処分方法としては、トラクターを使用して耕作地である土壌と一緒に粉砕をして、トラクターを使用して土壌を掘り返して土壌を軟らかくすることが出来ることを実施例７とする。
【実施例８】
【００３２】
砂漠を緑化する目的のために、上記にて説明をした、原材料は異なるけれども、発泡スチロールの原材料はポリスチレンで出来ている、発泡スチロールと全く同様の、ポリ乳酸が原材料で出来ている、発泡スチロール製の容器の製造方法と全く同様の製造方法にて製造をした、ポリ乳酸製発泡農業用箱（１）を耕作地に、例えば、深さが３０ｃｍで、横巾が５０ｃｍの溝を耕作地である畑に、畝を形成する直下に、深さが３０ｃｍで、横巾が５０ｃｍの溝を形成して、畝の真下の部分に当たるところに形成をしている溝の内部に、例えば、高さが３０ｃｍで、横巾が５０ｃｍで、長さが１ｍで、肉厚が２ｃｍの、ポリ乳酸製発泡農業用箱（１）を、畝の真下に当たるところの部分に、ポリ乳酸製発泡農業用箱（１）を畝の真下部分に畝に対して平行に埋設をして、埋設をしたポリ乳酸製発泡農業用箱（１）の内部に散水をした水溶液を溜めることが出来る構成とする。これにより溜池の効果と同様の効果となる。この溜池の効果と同様の効果を目的とする、ポリ乳酸製発泡農業用箱（１）の内部に溜めている水溶液を使用して穀物、果樹、野菜、及び樹木などの植物を栽培することになるので、極く簡単な構造であり、極く安価であり、作業性がよくて、環境に優しくて、環境に負荷をかけない、ポリ乳酸製発泡農業用箱（１）を使用することにより、ポリ乳酸製発泡農業用箱（１）を使用して、極く簡便に砂漠を緑化することが出来ることを実施例８とする。
【実施例９】
【００３３】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水をして、桶形状物体（１）の内部に堆積をしている砂漠の砂（４）が含水をしている水分は毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例９とする。
【実施例１０】
【００３４】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、散水管（２）を経由して砂漠の砂（４）に水溶液を含水させる。さらに、砂が流入をするのを防止する防止弁（３）を経由して砂漠の砂（４）に水溶液を含水させることにより、砂漠の地表と散水管（２）との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１０とする。
【実施例１１】
【００３５】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１１とする。
【実施例１２】
【００３６】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、さらに、砂（４）が流入をするのを防止する防止弁（３）を経由して給水をした水溶液を桶形状物体（１）の内部に堆積をしている砂漠の砂（４）に、地表から散水をした水溶液を給水させて、桶形状物体（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）が含水している含水量が０％に近い状態である。この砂漠の地表の砂（４）が含水している含水量が０％に近い状態に、砂漠の砂（４）が乾燥をしていると、地表から１ｍ前後のところに埋設をしている桶形状物体（１）の内部に堆積をしている、砂漠の砂（４）に地表から散水管（２）を経由して給水をさせて、さらに、砂（４）が流入をするのを防止する防止弁（３）を経由した水溶液は、桶形状物体（１）の内部に堆積をしている、砂漠の砂（４）が含水をする。この砂漠の砂（４）に含水をさせた水溶液は、毛細管現象により砂漠の表面上に、砂漠の表面上にと、次から次に桶形状物体（１）の内部に存在をしている砂（４）が含水をしている水分は毛細管現象により上の方向に、上の方向にと上昇をするので、地中に埋設をしている桶形状物体（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１２とする。
【実施例１３】
【００３７】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水をして、ポリ乳酸製発泡農業用箱（１）の内部に堆積をしている砂漠の砂（４）が含水をしている水分は毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１３とする。
【実施例１４】
【００３８】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１４とする。
【実施例１５】
【００３９】
砂漠を緑化して穀物、果樹、野菜、及び樹木などの植物を栽培する目的にて、土壌（７）の内部に、例えば、地表から、５０ｃｍ、又は１ｍ、又は２ｍ（以下、略して、１ｍとする）前後の、地表からの深さのところに、塩化ビニール樹脂、又はその他の樹脂で出来ている（以下、略して、塩化ビニール樹脂とする）桶形状物体（１）、又は塩化ビニール樹脂で出来ている、例えば、直径が３０ｃｍのパイプを半分に切断をした、口径が３０ｃｍの桶形状物体（１）、又はダンボール箱（１）、又は耐水性加工をしたダンボール箱（１）、又はポリスチレンで出来ている発泡スチロール製の箱（１）、又はポリ乳酸製発泡農業用箱（１）、又はその他の材料で出来ている箱（１）、又はその他の材料で出来ている容器（１）（以下、略して、桶形状物体（１）、又はパイプの１部分を縦方向に切断をしたパイプ、又は箱、又は容器（１）とする）を、地表から１ｍ前後の深さのところに埋設をして、地表から散水管（２）を経由して、砂（４）が流入をするのを防止する防止弁（３）を経由して給水をした水溶液をポリ乳酸製発泡農業用箱（１）の内部に堆積をしている砂漠の砂（４）に、地表から散水をした水溶液を給水させて、ポリ乳酸製発泡農業用箱（１）の内部に堆積をしている砂漠の砂（４）に、地表から散水管（２）を経由した水溶液を給水させて、ポリ乳酸製発泡農業用箱（１）の内部に堆積をしている砂漠の砂（４）に水溶液を含水させる。この砂漠の砂（４）に含水をさせた水溶液は、砂漠の地表の温度は、日中摂氏８０度前後まで上昇をするので、砂漠の地表の砂（４）の含水量は０％に近い状態である。この砂漠の地表の砂（４）が含水している含水量が０％に近い状態に、砂漠の砂（４）が乾燥をしていると、地表から１ｍ前後のところに埋設をしているポリ乳酸製発泡農業用箱（１）の内部に堆積をしている、砂漠の砂（４）に地表から散水管（２）を経由して給水をさせて、さらに、砂（４）が流入をするのを防止する防止弁（３）を経由した水溶液は、ポリ乳酸製発泡農業用箱（１）の内部に堆積をしている砂漠の砂（４）が含水をする。この砂漠の砂が含水をしている水溶液は、毛細管現象により砂漠の表面上に、砂漠の表面上にと、次から次にポリ乳酸製発泡農業用箱（１）の内部に存在をしている砂（４）が含水をしている水分は毛細管現象により上の方向に、上の方向にと上昇をするので、地中に埋設をしているポリ乳酸製発泡農業用箱（１）と、砂漠の地表との中間に存在をしている、砂漠の砂（４）が含水をしている水分は、植物である穀物、果樹、野菜、及び樹木などの植物を栽培、生育、及び生長をさせるのに充分な水分を植物に供給をすることが出来ることを実施例１５とする。
【実施例１６】
【００４０】
例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図１９に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏２５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることを実施例１６とする。
【実施例１７】
【００４１】
例えば、砂漠の地下１ｍ前後のところに、直径が３０ｃｍ前後の桶形状物体（１）を埋設して、埋設をしている桶形状物体（１）の凹形状をした内部に水溶液をバルブ（８）を経由して水溶液を流すことにより、人工的に砂漠の地下１ｍ前後のところに、人口の水路、又は水脈（以下、略して、水脈とする）を形成することになる。砂漠の表面上から散水をした場合には、水溶液は瞬時に蒸発をする、けれども、図２０に示している、バルブ（８）を経由して、砂漠の地下１ｍ前後のところに水溶液を注水するのであれば、水溶液は蒸発をすることもないので、砂漠の地下１ｍ前後のところの、砂漠の砂に水溶液を供給することが出来ることになる。この砂漠の地下１ｍ前後の砂漠の砂が含水をした水溶液は、砂漠の表面上の温度が摂氏８０度前後と高くて、乾燥をしているので、砂漠の地下１ｍ前後の深さのところに埋設をしている、桶形状物体（１）の内部に流している水溶液は、毛細管現象により上の方向である砂漠の表層に上昇をする。この桶形状物体（１）の内部に流している水溶液が毛細管現象により、砂漠の表層に水溶液が上昇をするときに、水分は気化をして、砂漠の地中の高温状態の地中の温度を奪うことになる。この砂漠の表層の温度が摂氏８０度前後まで上昇をしていても、砂漠の地中温度は摂氏２５度前後の温度を維持することになる。この上記にて説明をした、砂漠の地下１ｍ前後のところに、極く少量の水溶液を流すことにより、砂漠の地中の温度を低下させて、砂漠の地下に水分を供給することになる。このことにより、砂漠といえども、植物である穀物、果樹、野菜、及び樹木などを栽培するのに、最適の土地となることを発明・発見をした。これにより、トウモロコシ、薩摩芋、ニンジン、ダイコン、白菜、キャベツ、トマト、ブドウ、山芋、パイナップル、ラッキョ、ニンニク、玉ネギ、ゴボウ、及びユーカリなどを栽培することが出来ることを実施例１７とする。
【産業上の利用可能性】
【００４２】
地球上の陸地の、約２５％程度の面積が、不毛の大地の砂漠である。この不毛の大地の砂漠を緑化して、植物である穀物、果樹、野菜、及び樹木などを耕作することが出来る農耕地とすることにより、将来、地球上に於いて人口が増大をして食料不足となる事態を回避することが出来る可能性がある。
【符号の説明】
【００４３】
１  桶、又は桶形状物体、又はダンボール箱、又は発泡スチロール製箱、又はポリ乳酸製発泡農業用箱（以下、略して、桶形状物体、又はポリ乳酸製発泡農業用箱、又はポリ乳酸製発泡農業用容器とする）
２  散水管
３  砂（４）が流入をするのを防止する防止弁（以下、略して、防止弁とする）
４  砂
５  生分解性プラスチックを原材料として出来ているフィルム（以下、略して、フィルムとする）
６  発泡スチロール製箱（１）の、４箇所の側面上に形成をしている穴（以下、略して、穴とする）
７  耕作地の土の内部である土壌（以下、略して、土壌とする）
８  砂漠の砂（４）が含水をしている砂（８）（以下、略して、砂（８）とする）
９  バルブ
【図１】
2014090698.tif 000003
【図２】
2014090698.tif 000004
【図３】
2014090698.tif 000005
【図４】
2014090698.tif 000006
【図５】
2014090698.tif 000007
【図６】
2014090698.tif 000008
【図７】
2014090698.tif 000009
【図８】
2014090698.tif 000010
【図９】
2014090698.tif 000011
【図１０】
2014090698.tif 000012
【図１１】
2014090698.tif 000013
【図１２】
2014090698.tif 000014
【図１３】
2014090698.tif 000015
【図１４】
2014090698.tif 000016
【図１５】
2014090698.tif 000017
【図１６】
2014090698.tif 000018
【図１７】
2014090698.tif 000019
【図１８】
2014090698.tif 000020
【図１９】
2014090698.tif 000021
【図２０】
2014090698.tif 000022